(57)【要約】【課題】所望の濃度のオゾン水を容易に生成することができるオゾン水生成装置を提供することを課題とする。【解決手段】原水にオゾンガスを溶解させてオゾン水を生成するように構成されるオゾン水生成装置１であって、タンク２に貯留される原水またはオゾン水を循環させ、原水またはオゾン水の循環経路Ｃ上に配置されるエジェクタ６を介して循環する原水またはオゾン水にオゾンガスを混合させて溶解させて、オゾン水を生成するように構成される。【選択図】図１
2014064982.tif 000002
【特許請求の範囲】
【請求項１】
タンクに貯留される原水またはオゾン水を循環させ、前記原水またはオゾン水の循環経路上に配置されるエジェクタを介して前記循環する原水またはオゾン水にオゾンガスを混合させて溶解させて、オゾン水を生成するように構成される、オゾン水生成装置。
【請求項２】
前記原水またはオゾン水の循環経路を流通する原水またはオゾン水の流量に対する前記原水またはオゾン水に混合される前記オゾンガスの流量の気液比を７％以上２７％以下としてオゾン水を生成する、請求項１に記載のオゾン水生成装置。
【発明の詳細な説明】
【技術分野】
【０００１】
本発明は、オゾン水生成装置の技術に関する。
【背景技術】
【０００２】
従来、原水にオゾンガスを混合させて溶解させてオゾン水を生成するオゾン水生成装置に関する技術は公知となっている（特許文献１参照）。
また、前記オゾン水生成装置には、オゾンガス発生装置と、エジェクタと、流通管と、を具備し、オゾンガス発生装置において発生させたオゾンガスを、流通管を流通する原水に、エジェクタを介して混合させて溶解させて、オゾン水を生成するように構成されるものがある。
【先行技術文献】
【特許文献】
【０００３】
【特許文献１】特開２００８−１１４１０１号公報
【発明の概要】
【発明が解決しようとする課題】
【０００４】
しかしながら、前記オゾン水生成装置では、流通管を流通する原水がエジェクタを通過するときに、原水にオゾンガスが混合される。
そして、前記オゾン水生成装置では、所望の濃度に至っていないオゾン水が生成される場合がある。
【０００５】
本発明は以上の如き状況に鑑みてなされたものであり、所望の濃度のオゾン水を容易に生成することができるオゾン水生成装置を提供することを課題とする。
【課題を解決するための手段】
【０００６】
本発明の解決しようとする課題は以上の如くであり、次にこの課題を解決するための手段を説明する。
【０００７】
即ち、請求項１においては、タンクに貯留される原水またはオゾン水を循環させ、前記原水またはオゾン水の循環経路上に配置されるエジェクタを介して前記循環する原水またはオゾン水にオゾンガスを混合させて溶解させて、オゾン水を生成するように構成されるものである。
【０００８】
請求項２においては、前記原水またはオゾン水の循環経路を流通する原水またはオゾン水の流量に対する前記原水またはオゾン水に混合される前記オゾンガスの流量の気液比を７％以上２７％以下としてオゾン水を生成するものである。
【発明の効果】
【０００９】
本発明の効果として、以下に示すような効果を奏する。
【００１０】
即ち、本発明によれば、原水へのオゾンガスの溶解量を増加させることができる。
【図面の簡単な説明】
【００１１】
【図１】本発明の実施形態に係るオゾン水生成装置を示したブロック図。
【図２】オゾン水生成装置によって生成されるオゾン水の濃度とオゾン水を生成する経過時間との関係を示した図。
【発明を実施するための形態】
【００１２】
次に、発明の実施形態に係るオゾン水生成装置１について、図１から図２を用いて説明する。
【００１３】
オゾン水生成装置１は、原水にオゾンガスを溶解させてオゾン水を生成するように構成される。
オゾン水生成装置１は、図１に示すように、タンク２と、流出管３と、ポンプ４と、連結管５と、エジェクタ（或いはアスピレータ）６と、流入管７と、オゾンガス発生装置８と、オゾンガス供給管９と、を具備する。
オゾン水生成装置１は、タンク２に貯留される原水またはオゾン水が、原水またはオゾン水の循環経路（以下、「循環経路」と称する）Ｃを循環するように構成される。
オゾン水生成装置１の循環経路Ｃは、原水またはオゾン水がタンク２から流出してタンク２に流入するように循環する原水またはオゾン水の流路である。
【００１４】
オゾン水生成装置１のタンク２は、原水またはオゾン水を貯留するように構成される。
オゾン水生成装置１のタンク２には、例えば、５００Ｌの原料水またはオゾン水が貯留される。
【００１５】
オゾン水生成装置１の流出管３は、一端部がタンク２に接続され、他端部がポンプ４に接続されて構成される。
【００１６】
オゾン水生成装置１のポンプ４は、タンク２に貯留される原水またはオゾン水を圧送して循環経路Ｃにて循環させるように構成される。
【００１７】
オゾン水生成装置１の連結管５は、一端部がポンプ４に接続され、他端部がエジェクタ６に接続されて構成される。
【００１８】
オゾン水生成装置１の流入管７は、一端部がエジェクタ６に接続され、他端部がタンク２に接続されて構成される。
【００１９】
オゾン水生成装置１は、ポンプ４が作動することによって、タンク２に貯溜される原水またはオゾン水が、タンク２から流出して流出管３を介してポンプ４に流入し、ポンプ４から連結管５を介してエジェクタ６に流入し、エジェクタ６から流入管７を介してタンク２に流入して、循環経路Ｃを流通するように構成される。
オゾン水生成装置１の循環経路Ｃは、流出管３、ポンプ４、連結管５、エジェクタ６、および、流入管７で、構成される。
オゾン水生成装置１の流出管３、ポンプ４、連結管５、エジェクタ６、および、流入管７は、循環経路Ｃ上にそれぞれ配置される。
【００２０】
オゾン水生成装置１のオゾンガス発生装置８は、濃縮酸素を原料としてオゾンガスを発生するように構成される。
【００２１】
オゾン水生成装置１のオゾンガス供給管９は、一端部がオゾンガス発生装置８に接続され、他端部がエジェクタ６に接続されて構成される。
【００２２】
オゾン水生成装置１のエジェクタ６は、原水またはオゾン水がエジェクタ６内を流通することによって、オゾンガス供給管９を介してオゾンガスを吸引するように構成される。
【００２３】
オゾン水生成装置１は、原水またはオゾン水がエジェクタ６内を流通することにより、エジェクタ６内に吸引圧が発生して、オゾンガス供給管９を介してオゾンガスが吸引されて、エジェクタ６内において原水またはオゾン水にオゾンガスが混合されて溶解されるように構成される。
【００２４】
以上のように、タンク２に貯留される原水またはオゾン水を循環させ、循環経路Ｃ上に配置されるエジェクタ６を介して循環する原水またはオゾン水にオゾンガスを混合させて溶解させるように構成されるオゾン水生成装置１では、タンクに貯留されるオゾン水が所望の濃度に至るまで、循環経路Ｃにおいてオゾン水を循環させる。
このようにして、オゾン水生成装置１では、従来のもの（循環経路を原水またはオゾン水が循環しないもの）に比べて、これによって生成されるオゾン水の濃度を次第に高くすることができる。
したがって、オゾン水生成装置１によれば、従来のものに比べて、所望の濃度のオゾン水を容易に生成することができる。
【００２５】
オゾン水生成装置１は、制御装置（不図示）を具備する。
オゾン水生成装置１の制御装置は、ポンプ４、または、オゾンガス発生装置８等を制御して、循環経路Ｃを流通する原水またはオゾン水の流量、または、オゾン水または原水に混合されるオゾンガスの流量等を調節可能に構成される。
【００２６】
オゾン水生成装置１は、循環経路Ｃを流通するオゾン水または原水の流量（ＱＬ）に対するオゾン水または原水に混合されるオゾンガスの流量（ＱＧ）の気液比（ＱＧ／ＱＬ）を７％以上２７％以下として、オゾン水を生成するように構成される。
例えば、オゾン水生成装置１は、循環経路Ｃを流通するオゾン水または原水の流量（ＱＬ）を１０Ｌ／分とし、オゾン水または原水に混合されるオゾンガスの流量（ＱＧ）を１．７Ｌ／分として、即ち、循環経路Ｃを流通するオゾン水または原水の流量（ＱＬ）に対するオゾン水または原水に混合されるオゾンガスの流量（ＱＧ）の気液比（ＱＧ／ＱＬ）を１７％として、オゾン水を生成するように構成される。
このように構成されるオゾン水生成装置１では、図２に示すように、これによって生成されるオゾン水の濃度を１２ｍｇ／Ｌとすることができる。
【００２７】
ここで、従来のオゾン水生成装置では、例えば、循環経路Ｃを流通するオゾン水または原水の流量（ＱＬ）を１０Ｌ／分とし、オゾン水または原水に混合されるオゾンガスの流量（ＱＧ）を３．０Ｌ／分として、即ち、循環経路Ｃを流通するオゾン水または原水の流量（ＱＬ）に対するオゾン水または原水に混合されるオゾンガスの流量（ＱＧ）の気液比（ＱＧ／ＱＬ）を３０％として、オゾン水を生成する場合には、図２に示すように、これによって生成されるオゾン水の濃度は、オゾン水生成装置１によって生成されるオゾン水の濃度が１２ｍｇ／Ｌとなった経過時間と同じ経過時間においては、６ｍｇ／Ｌ程度であった。
【００２８】
以上のように、タンク２に貯留される原水またはオゾン水を循環させ、原水またはオゾン水の循環経路Ｃ上に配置されるエジェクタ６を介して循環する原水またはオゾン水にオゾンガスを混合させて溶解させるように構成され、循環経路Ｃを流通するオゾン水または原水の流量（ＱＬ）に対するオゾン水または原水に混合されるオゾンガスの流量（ＱＧ）の気液比（ＱＧ／ＱＬ）を７％以上２７％以下としてオゾン水を生成する水生成装置１によれば、従来のものに比べて、これによって生成されるオゾン水の濃度を高くすることができる。
【符号の説明】
【００２９】
１  オゾン水生成装置
２  タンク
３  流出管
４  ポンプ
５  連通管
６  エジェクタ
７  流入管
８  オゾンガス発生装置
９  オゾン供給管
Ｃ  循環経路
【図１】
2014064982.tif 000003
【図２】
2014064982.tif 000004